【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
オン・タイムとオフ・タイムを有し、コントローラに応答して、表示画面上に表示された設定に基づいて調整されるパルスを生成する水晶体超音波乳化吸引外科用システムのためのユーザーインタフェースであって、
前記コントローラの位置に関して、前記オン・タイムの表現を含む第１表示要素であって、前記第１表示要素において、前記表示画面にタッチすることに応答して、現在のオン・タイム表現が異なるオン・タイム表現に変更される前記第１表示要素と、
前記コントローラの位置に関して、前記オフ・タイムの表現を含む第２表示要素であって、前記第２表示要素において、前記表示画面にタッチすることに応答して、現在のオフ・タイム表現が異なるオフ・タイム表現に変更される前記第２表示要素と、を備え、
前記オフ・タイムおよびオフ・タイム表現は、所望のモードにおいてパルスを生成するために選択される、ユーザーインタフェース。
【請求項２】
少なくとも三つの異なるオン・タイム表現が、前記少なくとも三つのオン・タイム表現をスクロールするために前記第１表示要素において前記表示画面にタッチすることにより、前記第１表示要素に順に表示される請求項１に記載のユーザーインタフェース。
【請求項３】
前記オン・タイム表現は直線的である請求項１に記載のユーザーインタフェース。
【請求項４】
前記コントローラはフットペダルであり、前記直線的オン・タイム表現は、前記フットペダルの動きに応答して前記オン・タイムが直線的に増加することを表現する直線的増加オン・タイム表現である請求項３に記載のユーザーインタフェース。
【請求項５】
前記コントローラはフットペダルであり、前記直線的オン・タイム表現は、前記フットペダルの動きに関係なく前記オン・タイムが実質的に一定のままであることを表現する水平直線的オン・タイム表現である請求項３に記載のユーザーインタフェース。
【請求項６】
前記コントローラはフットペダルであり、前記直線的オン・タイム表現は、前記フットペダルの動きに応答して前記オン・タイムが直線的に減少することを表現する直線的減少オン・タイム表現である請求項３に記載のユーザーインタフェース。
【請求項７】
前記表示画面に表示され、前記オン・タイムに関連付けられる調整要素を更に備え、オン・タイム値が、前記調整要素において前記表示画面にタッチすることにより調整される請求項１に記載のユーザーインタフェース。
【請求項８】
少なくとも三つのオン・タイム表現が、前記第１表示要素において前記表示画面にタッチすることに応答して、前記表示画面に表示されるメニューに提示される請求項１に記載のユーザーインタフェース。
【請求項９】
少なくとも三つの異なるオフ・タイム表現が、前記少なくとも三つのオフ・タイム表現をスクロールするために前記第２表示要素において前記表示画面にタッチすることにより、前記第２表示要素に順に表示される請求項１に記載のユーザーインタフェース。
【請求項１０】
前記オフ・タイム表現は直線的である請求項１に記載のユーザーインタフェース。
【請求項１１】
前記コントローラはフットペダルであり、前記直線的オフ・タイム表現は、前記フットペダルの動きに応答して前記オフ・タイムが直線的に増加することを表現する直線的増加オフ・タイム表現である請求項１０に記載のユーザーインタフェース。
【請求項１２】
前記コントローラはフットペダルであり、前記直線的オフ・タイム表現は、前記フットペダルの動きに関係なく前記オフ・タイムが実質的に一定のままであることを表現する水平な直線的オフ・タイム表現である請求項１０に記載のユーザーインタフェース。
【請求項１３】
前記コントローラはフットペダルであり、前記直線的オフ・タイム表現は、前記フットペダルの動きに応答して前記オフ・タイムが直線的に減少することを表現する直線的減少オフ・タイム表現である請求項１０に記載のユーザーインタフェース。
【請求項１４】
前記表示画面に表示され、前記オフ・タイムに関連付けられる調整要素を更に備え、オフ・タイム値が、前記調整要素において前記表示画面にタッチすることにより調整される請求項１に記載のユーザーインタフェース。
【請求項１５】
少なくとも三つのオフ・タイム表現が、前記第２表示要素において前記表示画面にタッチすることに応答して、前記表示画面に表示されるメニューに提示される請求項１に記載のユーザーインタフェース。
【請求項１６】
少なくとも三つの異なるオフ・タイム表現が、前記少なくとも三つのオフ・タイム表現をスクロールするために前記第２表示要素において前記表示画面にタッチすることにより、前記第２表示要素に順に表示される請求項１に記載のユーザーインタフェース。
【請求項１７】
利用できるパルスモードの総数が、オン・タイム表現の数と、オフ・タイム表現の数の乗算により算出される請求項１に記載のユーザーインタフェース。
【請求項１８】
前記水晶体超音波乳化吸引外科用システムは、前記第１表示要素における前記オン・タイム表現が、前記オン・タイム表現が実質的に一定のままであることを表現する水平な直線的表現であり、前記第２表示要素における前記オフ・タイム表現が、前記オフ・タイム表現が実質的に一定のままであることを表現する水平な直線的表現である場合は、パルスモードパルスを生成する請求項１に記載のユーザーインタフェース。
【請求項１９】
前記水晶体超音波乳化吸引外科用システムは、前記第１表示要素における前記オン・タイム表現が、前記オン・タイム表現が実質的に一定のままであることを表現する水平な直線的表現であり、前記第２表示要素における前記オフ・タイム表現が、前記オフ・タイム表現が前記コントローラの動きに応答して直線的に減少することを表現する直線的減少表現である場合は、バーストモードパルスを生成する請求項１に記載のユーザーインタフェース。
【請求項２０】
現在のオフ・タイム表現はメニューを使用して変更される請求項１に記載のユーザーインタフェース。
【請求項２１】
現在のオン・タイム表現はメニューを使用して変更される請求項１に記載のユーザーインタフェース。
【請求項２２】
オン・タイムとオフ・タイムを有し、コントローラに応答し、表示画面上に表示された設定に基づいて調整されるパルスを生成する水晶体超音波乳化吸引外科用システムのためのユーザーインタフェースであって、
前記フットペダルの位置に関する前記オン・タイムの表現を含む第１表示要素であって、少なくとも三つのオン・タイム表現が、前記少なくとも三つのオン・タイム表現をスクロールするために前記第１表示要素において前記表示画面にタッチすることにより、前記第１表示要素に順に表示され、前記第１表示要素に表示される前記オン・タイム表現は、前記選択されたオン・タイム表現である前記第１表示要素と、
前記フットペダルの位置に関する前記オフ・タイムの表現を含む第２表示要素であって、少なくとも三つのオフ・タイム表現が、前記少なくとも三つのオフ・タイム表現をスクロールするために前記第２表示要素において前記表示画面にタッチすることにより、前記第２表示要素に順に表示され、前記第２表示要素に表示される前記オフ・タイム表現は、前記選択されたオフ・タイム表現である前記第２表示要素と、を備え、
前記オン・タイムおよびオフ・タイム表現は、所望のモードにおいてパルスを生成するために選択される、ユーザーインタフェース。
【請求項２３】
前記オン・タイム表現は直線的である請求項２２に記載のユーザーインタフェース。
【請求項２４】
前記第１表示要素内に、オン・タイム値を示すオン・タイム値表示を更に備える請求項１又は２２に記載のユーザーインタフェース。
【請求項２５】
前記オン・タイム表現は非直線的である請求項１又は２２に記載のユーザーインタフェース。
【請求項２６】
前記オフ・タイム表現は直線的である請求項２２に記載のユーザーインタフェース。
【請求項２７】
前記第２表示要素内に、オフ・タイム値を示すオフ・タイム値表示を更に備える請求項１又は２２に記載のユーザーインタフェース。
【請求項２８】
前記オフ・タイム表現は非直線的である請求項１又は２２に記載のユーザーインタフェース。
【請求項２９】
オン・タイムとオフ・タイムを有し、フットペダルに応答し、かつ表示画面上に表示されたユーザーインタフェースの設定に基づいて調整されるパルスを生成する水晶体超音波乳化吸引外科用システムのためのユーザーインタフェースであって、
前記フットペダルの位置に関して、前記水晶体超音波乳化吸引システムにより生成されるパルスの前記オン・タイムの直線的表現を含む第１表示要素であって、前記オン・タイム表現は、直線的減少または非直線的表現、水平表現、または直線的増加または非直線的表現であり、少なくとも三つのオン・タイム表現が、前記少なくとも三つのオン・タイム表現をスクロールするために前記第１表示要素において前記表示画面にタッチすることにより、前記第１表示要素に順に表示され、前記第１表示要素に表示される前記オン・タイム表現は、前記選択されたオン・タイム表現である前記第１表示要素と、
前記第１表示要素と共に表示され、前記パルスの前記オン・タイムの値を示すオン・タイム値であって、前記オン・タイム表現は、前記オン・タイム値に関して、前記バックグランドで表示される前記オン・タイム値と、
前記フットペダルの位置に関して、前記水晶体超音波乳化吸引システムにより生成されるパルスの前記オフ・タイムの直線的表現を含む第２表示要素であって、前記直線的オフ・タイム表現は、直線的減少または非直線的表現、水平表現、または直線的増加または非直線的表現であり、少なくとも三つのオフ・タイム表現が、前記少なくとも三つのオフ・タイム表現をスクロールするために前記第２表示要素において前記表示画面にタッチすることにより、前記第２表示要素に順に表示され、前記第２表示要素に表示される前記オフ・タイム表現は、前記選択されたオフ・タイム表現である前記第２表示要素と、
前記パルスの前記オフ・タイムの値を示すオフ・タイム値表示であって、前記オフ・タイム値表示は前記第２表示要素内に現れ、前記オフ・タイム表現は、前記オフ・タイム値に関して、前記バックグランドに表示される前記オフ・タイム値表示と、を備え、
前記オン・タイムおよびオフ・タイム表現は、所望のモードにおいてパルスを生成するために選択される、ユーザーインタフェース。
【請求項３０】
前記現在のオン・タイム表現は、前記表示画面がタッチされるたびに、異なるオン・タイム表現と置換される請求項２、２２および２９の何れか１項に記載のユーザーインタフェース。
【請求項３１】
前記非直線的オン・タイム表現は指数または多項式の形状を有する請求項２５又は２９に記載のユーザーインタフェース。
【請求項３２】
前記現在のオフ・タイム表現は、前記表示画面がタッチされるたびに、異なるオフ・タイム表現と置換される請求項９、２２および２９の何れか１項に記載のユーザーインタフェース。
【請求項３３】
前記非直線的オフ・タイム表現は指数または多項式の形状を有する請求項２８又は２９に記載のユーザーインタフェース。
【請求項３４】
九つのパルスモードが、三つのオン・タイム表現および三つのオフ・タイム表現により選択できる請求項１７、２２および２９の何れか１項に記載のユーザーインタフェース。